【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】
第１の装置と第２の装置が通信可能に接続され、前記第１の装置から前記第２の装置へ画像送信を行う画像伝送システムであって、
前記第１の装置が、
送信対象の画像データに圧縮処理を施して第１の転送データを生成する第１の生成手段と、
前記画像データに含まれる文字イメージを文字認識し、当該文字認識結果として文字コード列を得る認識手段と、
前記認識手段で得た文字コード列と文字の位置を示す情報とを含む第２の転送データを生成する第２の生成手段と、
前記第１の生成手段で生成された第１の転送データと前記第２の生成手段で生成された第２の転送データとを前記第２の装置へ送信する送信手段と、を備え、
前記第２の装置が、
前記送信手段で送信された前記第１の転送データと前記第２の転送データとを受信する受信手段と、
前記受信した第１の転送データを解凍して第３の画像を得る第３の画像再生手段と、
前記受信した第２の転送データに基づいて第４の文字画像を得る第４の画像再生手段と、
前記３の画像再生手段で得た第３の画像と、前記第４の画像再生手段で得た第４の文字画像とを合成する合成手段と
を備えることを特徴とする画像伝送システム。
【請求項２】
前記第２の装置は、前記合成手段で合成した画像における文字領域の背景濃度値を、代表濃度値に置換する文字部背景濃度値処理手段を、更に備えることを特徴とする請求項１に記載の画像伝送システム。
【請求項３】
前記文字部背景濃度値処理手段は、前記文字領域の境界部の背景濃度値を前記代表濃度値とし、前記文字領域の背景濃度値を当該代表濃度値で置換することを特徴とする請求項２に記載の画像伝送システム。
【請求項４】
前記第１の生成手段は、
前記画像データの解像度を小さくするための低解像度化手段と、
該低解像度化手段によって低解像度化された画像データを圧縮することにより前記第１の転送データを生成する圧縮手段と
を備えることを特徴とする請求項１記載の画像伝送システム。
【請求項５】
前記認識手段は、
前記画像データから文字イメージを像域分離する像域分離手段と、
前記像域分離手段にて分離した文字イメージを文字認識することにより前記文字コード列を得る文字認識手段と
を備えることを特徴とする請求項１記載の画像伝送システム。
【請求項６】
前記第２の生成手段によって生成される第２の転送データは、前記文字コード列と前記文字の位置を示す情報と、フォント種類の情報と、フォントサイズの情報とを含むことを特徴とする請求項１記載の画像伝送システム。
【請求項７】
前記第２の生成手段は、
前記文字コード列と前記文字の位置を示す情報とを含むデータを圧縮することにより前記第２の転送データを生成する圧縮手段を備えることを特徴とする請求項１記載の画像伝送システム。
【請求項８】
前記第２の装置は、前記合成手段で合成した画像を前記第２の装置での出力に適した画像に変換する変換手段を更に備えることを特徴とする請求項１記載の画像伝送システム。
【請求項９】
前記第２の生成手段は、
前記認識手段で得た文字コード列と文字の位置を示す情報とを含むデータに対してテキストデータ用の圧縮を行うことにより、前記第２の転送データを生成するデータ圧縮手段を備えることを特徴とする請求項１に記載の画像伝送システム。
【請求項１０】
プレビューを行う際、あるいはサムネイルを作成する際は、前記第１の転送データを用いることを特徴とする請求項１に記載の画像伝送システム。
【請求項１１】
送信対象の画像データに圧縮処理を施して第１の転送データを生成する第１の生成手段と、
前記画像データに含まれる文字イメージを文字認識し、当該文字認識結果として文字コード列を得る認識手段と、
前記認識手段で得た文字コード列と文字の位置を示す情報とを含む第２の転送データを生成する第２の生成手段と、
前記第１の転送データと前記第２の転送データとに基づいて画像を再生する外部装置に対して、前記第１の生成手段で生成された第１の転送データと前記第２の生成手段で生成された第２の転送データとを送信する送信手段と
を備えることを特徴とする画像伝送装置。
【請求項１２】
送信対象の画像データに圧縮処理を施して第１の転送データを生成する第１の生成手段と、前記画像データに含まれる文字イメージを文字認識し、当該文字認識結果として文字コード列を得る認識手段と、前記認識手段で得た文字コード列と文字の位置を示す情報とを含む第２の転送データを生成する第２の生成手段と、前記第１の生成手段で生成された第１の転送データと前記第２の生成手段で生成された第２の転送データとを送信する送信手段とを備える装置から、前記第１の転送データと前記第２の転送データとを受信する受信手段と、
前記受信した第１の転送データを解凍して第３の画像を得る第３の画像再生手段と、
前記受信した第２の転送データに基づいて第４の文字画像を得る第４の画像再生手段と、
前記３の画像再生手段で得た第３の画像と、前記第４の画像再生手段で得た第４の文字画像とを合成する合成手段と、
を備えることを特徴とする画像伝送装置。
【請求項１３】
第１の装置と第２の装置が通信可能に接続されたシステムにおいて、前記第１の装置から前記第２の装置へ画像送信する画像伝送方法であって、
前記第１の装置において、
第１の生成手段が、送信対象の画像データに圧縮処理を施して第１の転送データを生成する第１の生成工程と、
認識手段が、前記画像データに含まれる文字イメージを文字認識し、当該文字認識結果として文字コード列を得る認識工程と、
第２の生成手段が、前記認識工程で得た文字コード列と文字の位置を示す情報とを含む第２の転送データを生成する第２の生成工程と、
送信手段が、前記第１の生成工程で生成された第１の転送データと前記第２の生成工程で生成された第２の転送データとを前記第２の装置へ送信する送信工程とを実行し、
前記第２の装置において、
受信手段が、前記送信工程で送信された前記第１の転送データと前記第２の転送データとを受信する受信工程と、
第３の画像再生手段が、前記受信した第１の転送データを解凍して第３の画像を得る第３の画像再生工程と、
第４の画像再生手段が、前記受信した第２の転送データに基づいて第４の文字画像を得る第４の画像再生工程と、
合成手段が、前記３の画像再生工程で得た第３の画像と、前記第４の画像再生工程で得た第４の文字画像とを合成する合成工程と
を実行することを特徴とする画像伝送方法。
【請求項１４】
第１の生成手段が、送信対象の画像データに圧縮処理を施して第１の転送データを生成する第１の生成工程と、
認識手段が、前記画像データに含まれる文字イメージを文字認識し、当該文字認識結果として文字コード列を得る認識工程と、
第２の生成手段が、前記認識工程で得た文字コード列と文字の位置を示す情報とを含む第２の転送データを生成する第２の生成工程と、
送信手段が、前記第１の転送データと前記第２の転送データとに基づいて画像を再生する外部装置に対して、前記第１の生成工程で生成された第１の転送データと前記第２の生成工程で生成された第２の転送データとを送信する送信工程と
を備えることを特徴とする画像伝送方法。
【請求項１５】
送信対象の画像データに圧縮処理を施して第１の転送データを生成し、前記画像データに含まれる文字イメージを文字認識して当該文字認識結果として文字コード列を取得し、当該取得した文字コード列と文字の位置を示す情報とを含む第２の転送データを生成し、前記第１の転送データと前記第２の転送データとを送信する装置から、受信手段が、前記第１の転送データと前記第２の転送データとを受信する受信工程と、
第３の画像再生手段が、前記受信した第１の転送データを解凍して第３の画像を得る第３の画像再生工程と、
第４の画像再生手段が、前記受信した第２の転送データに基づいて第４の文字画像を得る第４の画像再生工程と、
合成手段が、前記３の画像再生工程で得た第３の画像と、前記第４の画像再生工程で得た第４の文字画像とを合成する合成工程と、
を備えることを特徴とする画像伝送方法。
【請求項１６】
コンピュータを、
送信対象の画像データに圧縮処理を施して第１の転送データを生成する第１の生成手段、
前記画像データに含まれる文字イメージを文字認識し、当該文字認識結果として文字コード列を得る認識手段、
前記認識手段で得た文字コード列と文字の位置を示す情報とを含む第２の転送データを生成する第２の生成手段、
前記第１の生成手段で生成された第１の転送データと前記第２の生成手段で生成された第２の転送データとを前記第２の装置へ送信する送信手段、
として機能させるためのプログラムと、
コンピュータを、
前記送信手段で送信された前記第１の転送データと前記第２の転送データとを受信する受信手段、
前記受信した第１の転送データを解凍して第３の画像を得る第３の画像再生手段と、
前記受信した第２の転送データに基づいて第４の文字画像を得る第４の画像再生手段、
前記３の画像再生手段で得た第３の画像と、前記第４の画像再生手段で得た第４の文字画像とを合成する合成手段、
として機能させるためのプログラムと、を記憶したコンピュータ読み出し可能な記憶媒体。
【請求項１７】
コンピュータを、
送信対象の画像データに圧縮処理を施して第１の転送データを生成する第１の生成手段、
前記画像データに含まれる文字イメージを文字認識し、当該文字認識結果として文字コード列を得る認識手段、
前記認識手段で得た文字コード列と文字の位置を示す情報とを含む第２の転送データを生成する第２の生成手段、
前記第１の転送データと前記第２の転送データとに基づいて画像を再生する外部装置に対して、前記第１の生成手段で生成された第１の転送データと前記第２の生成手段で生成された第２の転送データとを送信する送信手段、
として機能させるためのプログラムを記憶したコンピュータ読み出し可能な記憶媒体。
【請求項１８】
コンピュータを、
送信対象の画像データに圧縮処理を施して第１の転送データを生成し、前記画像データに含まれる文字イメージを文字認識して当該文字認識結果として文字コード列を取得し、当該取得した文字コード列と文字の位置を示す情報とを含む第２の転送データを生成し、前記第１の転送データと前記第２の転送データとを送信する装置から、前記第１の転送データと前記第２の転送データとを受信する受信手段、
前記受信した第１の転送データを解凍して第３の画像を得る第３の画像再生手段、
前記受信した第２の転送データに基づいて第４の文字画像を得る第４の画像再生手段、
前記３の画像再生手段で得た第３の画像と、前記第４の画像再生手段で得た第４の文字画像とを合成する合成手段、
として機能させるためのプログラムを記憶したコンピュータ読み出し可能な記憶媒体。
【手続補正２】
【補正対象書類名】明細書
【補正対象項目名】０００４
【補正方法】変更
【補正の内容】
【０００４】
【課題を解決するための手段】
かかる課題を解決するため、例えば本発明の画像伝送システムは以下の構成を備える。すなわち、
第１の装置と第２の装置が通信可能に接続され、前記第１の装置から前記第２の装置へ画像送信を行う画像伝送システムであって、
前記第１の装置が、
送信対象の画像データに圧縮処理を施して第１の転送データを生成する第１の生成手段と、
前記画像データに含まれる文字イメージを文字認識し、当該文字認識結果として文字コード列を得る認識手段と、
前記認識手段で得た文字コード列と文字の位置を示す情報とを含む第２の転送データを生成する第２の生成手段と、
前記第１の生成手段で生成された第１の転送データと前記第２の生成手段で生成された第２の転送データとを前記第２の装置へ送信する送信手段と、を備え、
前記第２の装置が、
前記送信手段で送信された前記第１の転送データと前記第２の転送データとを受信する受信手段と、
前記受信した第１の転送データを解凍して第３の画像を得る第３の画像再生手段と、
前記受信した第２の転送データに基づいて第４の文字画像を得る第４の画像再生手段と、
前記３の画像再生手段で得た第３の画像と、前記第４の画像再生手段で得た第４の文字画像とを合成する合成手段とを備える。
【手続補正３】
【補正対象書類名】明細書
【補正対象項目名】０００５
【補正方法】変更
【補正の内容】
【０００５】
また、前記第２の装置は、前記合成手段で合成した画像における文字領域の背景濃度値を、代表濃度値に置換する文字部背景濃度値処理手段を、更に備える。